(57)【特許請求の範囲】
【請求項１】
ライン引き本体両側面（１６、１７）又は後面（１９）の下部に同一長さの二本のフレーム（１２、１２）の先端部を固定して取り付け、このフレーム（１２、１２）の後端部に、それぞれ同一長さの二本のフレーム（２２、２２）の先端部をそれぞれ屈曲自在に連結し、この二本のフレーム（２２、２２）の後端部の間に平板（３）を略水平に差し渡して設け、この平板（３）の長手方向中心に設けた穴（７）に回転板（４）の中心に立設した軸（６）を下から嵌めて回動可能に軸支し、この回転板（４）に取り付けた車軸（８）の両端部に車輪（１、１）を回転自在に軸支するか、又は回転板（４）両端部の下方に取り付けた軸受け（５、５）に通した車軸（１８）の両端に車輪（１、１）を固定するか、もしくは回転自在に軸支し、且つ車軸（８又は１８）の進行方向に対する角度を所望の位置に固定するためのストッパー（１０）を配設したことを特徴とするライン引き。
【発明の詳細な説明】
【技術分野】
【０００１】
本発明は、グランドに於いてライン引きを使用し、各種競技を行うための白線を引く方法に関するものである。
【背景技術】
【０００２】
グランドにおいて各種競技をする前に、その競技用の白線を引く必要がある。この白線は殆んど直線であるが円や数字や印などを引く場合もある。従来使用している２車輪のライン引きは、人が前方に押しながら白線を引くものである。それは２車輪であるために線を引いている時は、左右に手振れを起こし直線が微妙に曲がるのが普通である。また、４車輪のライン引きも使用されているが、直線専用であり本体が大きく小回りが利き難くいので、円や数字や印を引くには適していない。出願人が先に取得している特許第３５２１０８４号は、ライン引きの両側面にフレームの一方端部を回動自在に軸支し、フレームの他方端部に設けた軸に二個の車輪を回動自在に軸支したライン引きである。このライン引きも直線は引き易いが、円は引き難いと言う問題点がある。
【０００３】
【特許文献１】特許第３５２１０８４号
【発明の開示】
【発明が解決しようとする課題】
【０００４】
競技の準備をする前にライン引きを使用して白線を引くのであるが、ライン引きの箱の中に粉を一杯に入れて粉の出口を閉じた状態では車輪が回転しなくなるので、白線を引く場所まではライン引きを持ち上げて運ばなければならない。そして白線を引く時は計測した巻尺の横を平行に白線を引いて行くのであるが、ライン引きが２車輪であるため手振れをして直線を綺麗に真直ぐ引くことは難しく、巻尺７の上にその粉がのって巻尺を汚すことがよくある。円を引く場合も同様に手振れをして綺麗には引き難いものである。
【０００５】
本発明は、競技前の準備のためグランドにおいて白線を引く場合に、ライン引き本体を運び易くして手振れをすること事無く、簡単に綺麗な直線を引いたり綺麗な円を引いたり出来るようにする事を課題としたものである。
【課題を解決するための手段】
【０００６】
そこで、本発明の請求項１記載のライン引き（以下、本発明１と言う）は、ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に取り付けた車軸８の両端部に車輪１、１を回転自在に軸支するか、又は回転板４両端部の下方に取り付けた軸受け５、５に通した車軸１８の両端に車輪１、１を固定するか、もしくは回転自在に軸支し、且つ車軸８又は１８の進行方向に対する角度を所望の位置に固定するためのストッパー１０を配設したことを特徴としている。
【０００７】
本発明１で言う平板３及び回転板４の形状は円形、楕円形、長方形など特に限定するものではなく、また大きさも限定するものではない。そして図５に示すようにストッパー１０としてはレバー又はノブを使用し、軸６としてはボルト２５を取り付けこのボルト２５を締め付けて回転板４を固定することが出来る。また回転板４にナットを取り付けボルト２５付レバーで締め付けることも出来る。一本の車軸８は二本にして回転板４の両端部に取り付けることも出来る。また一本の車軸１８も複数個の軸受け５、５・・・を取り付けることによって二本にすることも出来る。
【０００８】
かかる構成により、図１に示すように本発明１は４車輪のライン引きとして進行方向に真直ぐ進むことが出来る。ライン引き本体両側面１６、１７又は後面１９の下部にフレーム１２、１２を固定して取り付け、このフレーム１２、１２の後端部に、フレーム２２、２２の先端部を屈曲自在に取り付けることによって、ライン引き本体を運ぶ時は図６−１に示すようにライン引き本体を車軸８又は１８の上に乗せることが出来る。ライン引きを置いている時は図１２−２に示すように二本のフレーム２２、２２は屈曲してライン引き本体側に引き寄せることが出来る。またライン引きを方向転換する時は図６−３に示すようにライン引き本体を浮かせて移動することが出来る。そして進行方向に対して回転板４の角度を変えて図４に示しているようにストッパー１０で固定することによって、４車輪のライン引きとして円形の白線を引くことが出来る。
【発明の効果】
【０００９】
本発明１の効果として、図１に示すように本発明１のライン引き本体両側面１６、１７又は後面１９の下部に固定して取り付けたフレーム１２、１２の後端部に、屈曲自在に取り付けたフレーム２２、２２の後端部に回動自在に設けた回転板４に、車輪１、１を車軸１８の両端に固定し、軸受け５、５に回転自在に軸支した場合は直進性のより良い４車輪のライン引きとなり、車輪１、１を車軸８又は１８の両端に回転自在に軸支した場合は、方向転換性の良い４車輪のライン引きとして安定して真直ぐな直線を引くことが出来る。そして平板３に回動自在に軸支した回転板４の角度を変えてストッパー１０で所望に位置に固定することによって、４車輪のライン引きとして様々な大きさの円を引くことが出来る。また粉を入れて重くなったライン引き本体は、図６−１に示すように屈曲したフレーム２２、２２に取り付けた車軸８又は１８の上に乗せてハンドルを引っ張って運ぶことが出来るものであり、ライン引きを置いている時は図６−２に示すように車輪１、１をライン引き本体側に引き寄せて置くことが出来る。また図６−３に示すようにライン引き本体を浮かせて移動することが出来るので、連続して白線を引く時も簡単に方向転換をすることが出来るものである。
【発明を実施するための最良の形態】
【００１０】
ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に取り付けた車軸８の両端部に車輪１、１を回転自在に軸支するか、又は回転板４両端部の下方に取り付けた軸受け５、５に通した車軸１８の両端に車輪１、１を固定するか、もしくは回転自在に軸支し、且つ車軸８又は１８の進行方向に対する角度を所望の位置に固定するためのストッパー１０を配設したことである。
【実施例１】
【００１１】
実施の形態の一例として、図１は本発明１のライン引きの斜視図を示している。ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を下から嵌めて回動可能に軸支し、この回転板４に取り付けた車軸８の両端部に車輪１、１を回転自在に軸支するか、又は回転板４両端部の下方に取り付けた軸受け５、５に通した車軸１８の両端に車輪１、１を固定するか、もしくは回転自在に軸支し、且つ車軸８又は１８の進行方向に対する角度を所望の位置に固定するためのストッパー１０を配設したことで構成されている。
【００１２】
図２に示しているのは本発明１のライン引き本体の両側面１６、１７又は後面１９の下部に固定して取り付けたフレーム１２、１２の後端部に、屈曲自在に取り付けたフレーム２２、２２の後端部に回動自在に設けた回転板４の下面に車軸８を固定して取り付け、この車軸８の両端に車輪１、１を回転自在に設けている。また図３に示しているのは回転板４の両端に軸受け５、５を取り付け、この軸受け５、５に車輪１、１を固定するか、もしくは回動自在に設けたものである。
【００１３】
図４はフレーム２、２の下端部に取り付けた平板３の下面に回転自在に設けた回転板４の角度を変えてストッパー１０で固定した状態を示している。固定する方法としては、図５に示すように平板３を回転板４とストッパー１０で挟み、軸６に取り付けたボルト２５をストッパー１０として使用しているレバーで締め付けて回転板４を固定することが出来る。固定することによって一定方向に向いた車輪１、１で綺麗な円を引くことが出来る。
【００１４】
本発明１の屈曲自在に設けたフレーム２２、２２の使用方法は、図６−１に示すように粉を入れて重くなったライン引き本体を屈曲させたフレーム２２、２２の車軸８又は１８の上に乗せてハンドルを引っ張って運ぶことが出来る。ライン引きを置いている時は図６−２に示すようにフレーム２２、２２を屈曲させて車輪１、１をライン引き本体側に引き寄せることが出来る。また連続して白線を引く時は図６−３に示すようにフレーム２２、２２を伸ばした状態でライン引き本体を浮かせて簡単に方向転換することが出来るものである。
【００１５】
実施の形態の一例として、フレーム１２の仕様は厚み３ｍｍ、幅３．２ｃｍ、長さ１５ｃｍの鉄製のフラッバーを使用し、フレーム２２は厚み３ｍｍ、幅３．２ｃｍ、長さ１５ｃｍの鉄製のフラッバーを使用し、フレーム１２とフレーム２２は８ｍｍのシャフトで軸支している。平板３は厚み３ｍｍ、幅３．２ｃｍ、長さ１３ｃｍのフラットバーを使用し、回転板４は厚み３ｍｍ、幅３．２ｃｍ、長さ２４ｃｍのフラットバーを使用し、軸受け５は厚み３ｍｍ、幅３．２ｃｍ、長さ３ｃｍのフラットバーの中心に１０ｍｍの穴を開け回転板４の両端辺に垂直に溶接している。車軸８は直径１０ｍｍ、長さ３２ｃｍのシャフトを使用し、車輪１、１はライン引き本体と同種類のものを取り付けている。軸６は１０ｍｍのボルト２５を取り付け、ストッパー１０は鍋屋バイテック会社NBKのLEF−１０合成樹脂製のレバーで締め付けるようにしている。このように製作したライン引きで直線を引いたところ安定した真直ぐな直線を引くことが出来た。また回転板４の角度を変えてレバーで固定してライン引きを押した場合も綺麗に円を簡単に引くことが出来た。平板３と回転板４に円の大きさを表示する目盛りを付けることによって簡単に同じ大きさの円を引くことも出来た。
【図面の簡単な説明】
【００１６】
【図１】本発明１の実施の形態の一例を示す斜視図である。
【図２】本発明１の背面図である。
【図３】本発明１の背面図である。
【図４】本発明１の使用説明図である。
【図５】本発明１の使用説明図である。
【図６】本発明１の使用説明図である。
【符号の説明】
【００１７】
１    車輪
３    平板
４    回転板
５    軸受け
６    軸    
７    穴  
８    車軸
９    突出部
１０  ストッパー
１２  フレーム
１６  側面
１７  側面
１８  車軸
１９  後面
２２  フレーム
２５  ボルト
【要約】
【課題】
競技前の準備のためグランドにおいて白線を引く場合に、ライン引き本体を運び易くして手振れをすること事無く、簡単に綺麗な直線を引いたり綺麗な円を引いたり出来るようにする事を課題としたものである。
【解決手段】
ライン引き本体両側面１６、１７又は後面１９の下部に同一長さの二本のフレーム１２、１２の先端部を固定して取り付け、このフレーム１２、１２の後端部に、それぞれ同一長さの二本のフレーム２２、２２の先端部をそれぞれ屈曲自在に連結し、この二本のフレーム２２、２２の後端部の間に平板３を略水平に差し渡して設け、この平板３の長手方向中心に設けた穴７に回転板４の中心に立設した軸６を回動可能に軸支し、この回転板４に取り付けた車軸８の両端部に車輪１、１を回転自在に軸支し、且つ車軸８又は１８の進行方向に対する角度を所望の位置に固定するためのストッパー１０を配設したことである。
【選択図】    図１
【図１】
0003730657.tif 000002
【図２】
0003730657.tif 000003
【図３】
0003730657.tif 000004
【図４】
0003730657.tif 000005
【図５】
0003730657.tif 000006
【図６】
0003730657.tif 000007